(57)【要約】【課題】選択操作部材による選択対象の数が増加しても、操作部の小径化を図りつつ、良好な操作性を確保することができるとともに、組立工数を削減して低コスト化を図ることができるデジタル一眼レフカメラを提供する。【解決手段】デジタル一眼レフカメラは、回転操作ダイヤル５４と、回転操作ダイヤル５４の中央部に配置され、周方向の複数の箇所で傾倒操作が可能な選択操作部材５２と、選択操作部材５２の裏面側に配置され、選択操作部材５２を傾倒可能に支持する支持部材６４と、を備える。選択操作部材５２の裏面側には、傾倒操作時に支持部材６４により傾倒方向に案内される腕部５２ｉが形成され、腕部５２ｉには、支持部材６４に対して軸方向に係合する係合部５２ｊが形成される。【選択図】図７
2012043707.tif 000002
【特許請求の範囲】
【請求項１】
回転操作ダイヤルと、
前記回転操作ダイヤルの中央部に配置され、複数の箇所で傾倒操作が可能な選択操作部材と、
前記選択操作部材の裏面側に配置され、前記選択操作部材を傾倒可能に支持する支持部材と、を備え、
前記選択操作部材の裏面側には、前記傾倒操作時に前記支持部材により傾倒方向に案内される腕部が形成され、前記腕部には、前記支持部材に対して軸方向に係合する係合部が形成されることを特徴とする電子機器。
【請求項２】
前記選択操作部材の中央部に、押圧操作部材を配置することを特徴とする請求項１に記載の電子機器。
【発明の詳細な説明】
【技術分野】
【０００１】
本発明は、デジタルカメラ等の電子機器に設けられる操作部の改良に関する。
【背景技術】
【０００２】
従来、デジタルカメラ等の電子機器に設けられる操作部として、円環状の回転操作ダイヤルの中央部に、複数の押圧操作キーを有する選択操作部材を配置したものがある（特許文献１）。回転操作ダイヤルは、露出補正や撮影情報の設定操作を行うための操作部材であり、回転方向や回転量に応じて設定量が変更される。また、選択操作部材は、ファインダ内に表示された複数の焦点検出領域のうち任意の焦点検出領域を選択操作するための操作部材である。これらの操作部材を備える操作部は、ユーザがカメラ本体を把持した状態でレリーズボタンを人指し指で押しながら、或いはファインダを覗きながら親指で操作しやすい位置に配置され、通常はカメラ本体の背面側に配置される。
【先行技術文献】
【特許文献】
【０００３】
【特許文献１】特開２００２−４９４６３号公報
【発明の概要】
【発明が解決しようとする課題】
【０００４】
ところで、近年のデジタルカメラの高機能化に伴い、焦点検出領域の数が増えて、ファインダ内に表示される焦点検出領域の数も同様に増加し、選択操作部材による選択対象の数が増加している。また、近年、デジタルカメラの背面側に配置される液晶表示装置の大型化が進む一方で、カメラ本体の小型化の要請に伴い、カメラ本体の背面に操作部を配置するスペースが小さくなってきている。このため、操作部の小径化を図りつつ、良好な操作性を確保することが望まれる。
【０００５】
しかし、上記特許文献１では、略円形状の選択操作部材に複数の押圧操作キーが円周方向に独立して配置されるとともに、選択操作部材の全体が複数の押圧操作キーを外部に露出させた状態でカバーにより覆われることで支持台に固定されている。
【０００６】
このため、押圧操作キーを良好な操作性を確保できる大きさにして選択対象となる焦点検出領域の数の増加に合わせて押圧操作キーの数を増やすと、選択操作部材が大径化するとともに、カバーの径方向の肉厚分も加わるため、操作部の小径化が困難となる。反対に、操作部の小径化を優先し、操作押圧キーの大きさを小さくして選択対象となる焦点検出領域の数の増加に合わせて押圧操作キーの数を増やすと、操作性が低下して誤操作の原因になる。また、上記特許文献１では、選択操作部材を覆った状態で支持台に固定するカバーが必須となるため、部品点数が増して、組立て工数が増加するという問題もある。
【０００７】
そこで、本発明は、選択操作部材による選択対象の数が増加しても、操作部の小径化を図りつつ、良好な操作性を確保することができるとともに、組立工数を削減して低コスト化を図ることができる電子機器を提供することを目的とする。
【課題を解決するための手段】
【０００８】
上記目的を達成するために、本発明の電子機器は、回転操作ダイヤルと、前記回転操作ダイヤルの中央部に設けられ、周方向の複数の箇所で傾倒操作が可能な選択操作部材と、前記選択操作部材の裏面側に配置され、前記選択操作部材を傾倒可能に支持する支持部材と、を備え、前記選択操作部材の裏面側には、前記傾倒操作時に前記支持部材により傾倒方向に案内される腕部が形成され、前記腕部には、前記支持部材に対して軸方向に係合する係合部が形成されることを特徴とする。
【発明の効果】
【０００９】
本発明によれば、選択操作部材による選択対象の数が増加しても、操作部の小径化を図りつつ、良好な操作性を確保することができるとともに、組立工数を削減して低コスト化を図ることができる。
【図面の簡単な説明】
【００１０】
【図１】本発明の電子機器の実施形態の一例であるデジタル一眼レフカメラを上面側から見た図である。
【図２】デジタル一眼レフカメラのレリーズボタン及び設定ボタンの部位を部分的に示す縦断面図である。
【図３】デジタル一眼レフカメラのカメラ本体を背面側から見た図である。
【図４】ユーザがファインダから被写体を観察した際のファインダ内での表示例を示す図である。
【図５】操作部の斜め上方から見た分解斜視図である。
【図６】操作部を斜め下方から見た分解斜視図である。
【図７】操作部の組立状態における断面図である。
【図８】（ａ）は図７のＡ部拡大図、（ｂ）は図７のＢ部拡大図である。
【発明を実施するための形態】
【００１１】
以下、本発明の実施形態の一例を図面を参照して説明する。
【００１２】
図１は、本発明の電子機器の実施形態の一例であるデジタル一眼レフカメラを上面側から見た図である。
【００１３】
図１に示すように、本実施形態のデジタル一眼レフカメラは、カメラ本体１の背面側から見て右側の外装が撮影時にユーザが把持するグリップ部１０とされている。カメラ本体１の上面部において、グリップ部１０を把持したユーザの人指し指に近い位置には、レリーズボタン２が設けられている。
【００１４】
また、カメラ本体１の上面部には、ＡＦ（オートフォーカス）、露出、連写等の設定を変更する際に操作する複数の設定ボタンがカメラ本体１の幅方向に略等間隔で設けられている。更に、カメラ本体１の上面部には、設定ボタン３を操作することにより変更できる設定項目を表示するための表示部４が設けられている。
【００１５】
レリーズボタン２の押し下げ方向５は、カメラ本体１の上面側から見て撮影光軸方向に対してレンズ鏡筒からグリップ部１０側に離れる方向に角度αだけ傾斜している。このため、ユーザが撮影時にグリップ部１０を把持してレリーズボタン２の操作面に人差指の腹を当てると、腹に対して略面直方向へレリーズボタン２を押し下げることができる。
【００１６】
また、複数の設定ボタン３の各中心を結ぶ線６は、レリーズボタン２の押し下げ方向５に対して直交するようになっている。これにより、ユーザは、グリップ部１０を把持した状態で複数の設定ボタン３間で人差指を自然な状態で移動させることができ、特にファインダ１１を覗きながら設定ボタン３を操作する際の操作性を向上させることができる。
【００１７】
図２は、デジタル一眼レフカメラのレリーズボタン２及び設定ボタン３の部位を部分的に示す縦断面図である。
【００１８】
図２に示すように、レリーズボタン２の操作面２１は、カメラ本体１を水平面に設置した場合に、水平方向に対して角度βだけ前側（被写体側）が下方に傾斜している。また、設定ボタン３も同様に、水平方向に対して前側が下方に傾斜した形状になっており、その前側傾斜方向２３とレリーズボタン２の操作面２１の頂点面での断面投影接線２２とは、略平行になっている。これにより、設定ボタン３とレリーズボタン２の押し下げ向が略同一となるため、特にファインダ１１を覗きながら設定ボタン３とレリーズボタン２の両方を操作する際の操作性を向上させることができる。
【００１９】
図３は、デジタル一眼レフカメラのカメラ本体１を背面側から見た図である。以下、図３を参照して、カメラ本体１の背面部に設けられる各部材について説明する。
【００２０】
図３において、視度調整ダイヤル４２は、ファインダ１１内に配設された不図示のレンズを撮影者の視度に合うように移動させるためのものである。ＡＦスタートボタン４３は、不図示のレンズの焦点検出動作（ＡＦ）を任意のタイミングで始動するためのボタンである。ＡＥロックボタン４４は、露出値のロック等に用いられるボタンである。焦点検出領域選択ボタン４５は、後述する焦点検出領域の選択を行う際に操作するボタンである。
【００２１】
メニュー選択設定ボタン４６は、ＬＣＤ等の表示装置４７に表示される各メニュー項目の設定や画像の再生、消去、情報表示を行うためのボタンである。電源スイッチ４８は、カメラの電源をＯＮ／ＯＦＦするためのスイッチである。メディアカバー４９は、開閉可能に設けられ、開状態で撮像画像を保存するためのメモリカードをカードスロットに対して着脱することができる。アクセスランプ窓５０は、メモリカードに画像を保存するなどのアクセス中に点灯して、ユーザにアクセス中であることを知らせる。
【００２２】
操作部５１は、円環状の回転操作ダイヤル５４、回転操作ダイヤル５４の中央部に設けられた円環状の方向選択操作部材５２、及び方向選択操作部材５２の中央部に設けられた押圧操作ボタン５３とを備える。ここで、押圧操作ボタン５３は、本発明の押圧操作部材の一例に相当する。
【００２３】
回転操作ダイヤル５４は、露出補正を行うための部材であり、回転方向や回転量に応じて設定量が変更される。方向選択操作部材５２及び押圧操作ボタン５３は、ファインダ１１内に表示された選択対象の複数の焦点検出領域のうち任意の焦点検出領域を選択操作するために用いられる。方向選択操作部材５２は、円周方向に複数（本実施形態では８つ）の突起５２ａ〜５２ｈが略等間隔で設けられており、８方向に傾倒操作が可能になっている。
【００２４】
なお、ＡＦスタートボタン４３、ＡＥロックボタン４４、焦点検出領域選択ボタン４５、及び操作部５１は、カメラ本体１の背面部において、ユーザがグリップ部１０を右手５５で把持した際に親指５５ａで操作可能な位置に配置することが好ましい。このように配置すると、ユーザが右手５５でグリップ部１０を把持した状態でレリーズボタン２を人差し指５５ｂで操作する際に、ＡＦスタートボタン４３、ＡＥロックボタン４４、焦点検出領域選択ボタン４５及び操作部５１の親指５５ａでの操作性が向上する。
【００２５】
図４は、ユーザがファインダ１１から被写体を観察した際のファインダ１１内での表示例を示す図である。
【００２６】
図４において、撮影画面２００には、被写体像が表示されるとともに、複数の焦点検出領域２０１ａ〜２０１ｉが表示され、これらの焦点検出領域２０１ａ〜２０１ｉのうちいずれか一つの焦点検出領域の被写体にピントが合わせられる。撮影画面２００の下方には、条件表示部２０２が表示される。条件表示部２０２は、シャッタ秒時を示すシャッタ秒時表示部２０２ａ、絞り値を示す絞り表示部２０２ｂ、適正露出に対するシフト量を示すシフト量表示部２０２ｃ、シフト量の指標となる指標部２０２ｄ、及び合焦表示部２０２ｅにより構成される。合焦表示部２０２ｅは、点灯することでユーザに被写体が合焦したことを知らせる。
【００２７】
次に、方向選択操作部材５２、押圧操作ボタン５３及び回転操作ダイヤル５４の操作方法について説明する。
【００２８】
まず、ユーザが焦点検出領域選択ボタン４５を押すと、ファインダ１１内に表示される焦点検出領域２０１ａ〜２０１ｉのうちで現在の選択されている焦点検出領域、例えば中央の焦点検出領域２０１ｅが点灯してユーザに知らせる。この状態では、露出補正を行っていないため、条件表示部２０２の指標部２０２ｄは、シフト量「０」を示している。
【００２９】
そして、ユーザは、合焦させたい被写体を変更したい場合は、方向選択操作部材５２又は押圧操作ボタン５３を操作することにより、合焦させたい被写体に対応する焦点検出領域を選択する。具体的には、例えば焦点検出領域２０１ａを選択する場合は、方向選択操作部材５２の突起５２ａを押して傾倒操作する。同様に、焦点検出領域２０１ｂ〜２０１ｈを選択する場合は、方向選択操作部材５２の突起５２ｂ〜５２ｈを押して傾倒操作する。また、焦点検出領域２０１ｉを選択する場合は、押圧操作ボタン５３を押圧操作する。
【００３０】
次に、測光値により設定されたシャッタ秒時と絞り値を変更（露出補正）したい場合には、回転操作ダイヤル５４を例えば時計方向に３ステップ回転操作することで、＋１／３段、＋２／３段、＋１段と露出シフト量を変更することができる。反対に、回転操作ダイヤル５４を反時計方向に３ステップ回転操作することで、−１／３段、−２／３段、−１段と露出シフト量を変更することができる。
【００３１】
ここで、撮影モードがシャッタ速度優先モードに設定されているときは、絞り値のシフトを行い、絞り優先モードに設定されているときは、シャッタ秒時のシフトを行う。これにより、シャッタ秒時表示部２０２ａ、絞り表示部２０２ｂ、シフト量表示部２０２ｄには、露出値がシフトされた状態で表示される。
【００３２】
次に、図５〜図８を参照して、操作部５１について詳しく説明する。
【００３３】
図５は操作部５１の斜め上方から見た分解斜視図、図６は操作部５１を斜め下方から見た分解斜視図である。
【００３４】
図５及び図６に示すように、方向選択操作部材５２と回転操作ダイヤル５４との間には、支持台６１、フレキシブル基板６２、及び受け台６４が方向選択操作部材５２から回転操作ダイヤル５４側に向けて軸方向に略同心に配置されている。方向選択操作部材５２の裏面には、表面側の突起５２ａ，５２ｃ，５２ｅ，５２ｇに対応する位置に、突起５２ａ−１，５２ｃ−１，５２ｅ−１，５２ｇ−１が設けられている。
【００３５】
フレキシブル基板６２は、裏面側に配置された支持板６３により支持されており、支持板６３は、受け台６４により支持されている。フレキシブル基板６２の表面側には、方向選択操作部材５２の突起５２ａ−１，５２ｃ−１，５２ｅ−１，５２ｇ−１に対応する位置にそれぞれメタルドームスイッチ６２ａ，６２ｃ，６２ｅ，６２ｇが設けられている。また、フレキシブル基板６２には、方向選択操作部材５２の傾倒操作によりメタルドームスイッチから出力される信号を不図示の制御部に接続するためのリード線６２ｊが設けられている。
【００３６】
そして、例えば、ユーザが方向選択操作部材５２の突起５２ａを傾倒操作すると、突起５２ａ−１がフレキシブル基板６２のメタルドームスイッチ６２ａを弾性的に押圧して信号が発生する。この信号に基づき、不図示の制御部は、方向選択操作部材５２の突起５２ａの方向が選択されたと判断する。また、ユーザが方向選択操作部材５２の突起５２ｂを傾倒操作すると、突起５２ａ−１，５２ｃ−１がフレキシブル基板６２のメタルドームスイッチ６２ａ，６２ｃを弾性的に押圧して信号が発生する。この信号に基づき、不図示の制御部は、方向選択操作部材５２の突起５２ｂの方向が選択されたと判断する。
【００３７】
方向選択操作部材５２の中央開口部には、押圧操作ボタン５３が嵌め込まれる。押圧操作ボタン５３は、裏面側に略同心に突設された嵌合軸５３ａが支持台６１に対して軸方向に摺動可能に嵌合される。また、支持台６１の裏面側には、下方に突出する係合腕部６１ａが円周方向の互いに１８０°離間して２カ所設けられている。２カ所の係合腕部６１ａは、フレキシブル基板６２及び支持板６３に貫通して設けられた２ヶ所の穴部６３ａに嵌合されて固定される。
【００３８】
また、方向選択操作部材５２の突起５２ａ−１，５２ｃ−１，５２ｅ−１，５２ｇ−１の径方向外方位置には、下方に突出する係合腕部５２ｉが円周方向に略等間隔で４ヶ所設けられている。４ヶ所の係合腕部５２ｉは、受け台６４に設けられた４ヶ所の溝部６４ａに対して方向選択操作部材５２の傾倒方向に摺動可能に支持される。受け台６４の裏面側中心部には、嵌合軸６４ｂが略同心に設けられており、嵌合軸６４ｂには、リード線６２ｊを軸方向に挿通させるための開口部６４ｃが設けられている。ここで、受け台６４は、本発明の支持部材の一例に相当する。
【００３９】
回転操作ダイヤル５４の表面側中央部には、受け台６４、フレキシブル基板６２、支持板６３、支持台６１、方向選択操作部材５２、及び押圧操作ボタン５３が収納される凹部が設けられている。また、回転操作ダイヤル５４の裏面側には、軸部５４ｂが略同心に設けられており、軸部５４ｂには、凹部の底面から軸部５４ｂの先端面まで貫通する嵌合穴５４ａが形成されている。嵌合穴５４ａには、受け台６４の嵌合軸６４ｂが嵌合され、これにより、回転操作ダイヤル５４が受け台６４の嵌合軸６４ｂに対して回転可能に支持される。
【００４０】
また、軸部５４ｂは、カメラ本体１の背面カバー５５に設けられた軸穴５５ａに嵌め込まれ、これにより、回転操作ダイヤル５４と後述する接片押さえ板６６、接片６７及びクリック板６８とによって背面カバー５５を挟み込む構造となる。このとき、回転操作ダイヤル５４に設けられたレール面５４ｃが背面カバー５５に設けられたレール面５５ａに摺動可能に当接することで、回転操作ダイヤル５４をスムーズに回転させることができる。
【００４１】
回転操作ダイヤル５４とカメラ本体１内に設けられるベース部材７２との間には、位相フレキシブル基板６５、接片押さえ板６６、接片６７、及びクリック板６８が回転操作ダイヤル５４からベース部材７２側に向けて順番に配置されている。
【００４２】
接片押さえ板６６、接片６７及びクリック板６８は、軸方向に積層された状態で回転操作ダイヤル５４の軸部５４ｂの先端面にねじ等により略同心に固定される。ここで、接片押さえ板６６、接片６７、及びクリック板６８の中央部に形成された穴部は、回転操作ダイヤル５４の嵌合穴５４ａより大径に形成されており、従って、受け台６４の嵌合軸６４ｂは嵌合穴５４ａにのみ嵌合される。
【００４３】
位相フレキシブル基板６５は、回転操作ダイヤル５４の回転位相を検出するためのものであり、裏面に導通パターン６５ａが設けられ、背面カバー５５の裏面に設けられた平面部５５ｂに貼付け固定されている。接片押さえ板６６は、クリック板６８とともに接片６７を挟み込んで固定する。接片６７は、位相フレキシブル基板６５の導通パターン６５ａに当接し、回転操作ダイヤル５４の回転を電気信号に変換して、不図示の制御部に出力する。
【００４４】
クリック板６８は、回転操作ダイヤル５４を回転操作する際に、ユーザに対してクリック感を与えるためのものであり、外周部には、波形状部６８ａが周方向に沿って形成されている。クリック板６８の外周側には、クリックボール６９及びクリックばね７０を配置するための溝を有するガイド部材７１が配置されており、ガイド部材７１は、ねじ等により背面カバー５５に固定される。クリックボール６９は、クリックばね７０の付勢力を受けてクリック板６８の波形状部６８ａに係合しており、回転操作ダイヤル５４の回転操作に伴って波形状部６８ａの凹凸に合わせて進退することで、ユーザに対してクリック感を与えることができる。
【００４５】
ベース部材７２は、受け台６４の嵌合軸６４ｂを固定するための部材であり、背面カバー５５にねじ等により固定される。また、ベース部材７２には、リード線６２ｊを挿通させるための開口部７２ａが設けられている。
【００４６】
図７は、操作部５１の組立状態において、図５の押圧操作ボタン５３の中心から方向選択操作部材５２の突起５２ｈ方向、及び突起５２ｃ方向に切断した断面図である。図８（ａ）は図７のＡ部拡大図、図８（ｂ）は図７のＢ部拡大図である。
【００４７】
図７及び図８（ａ）に示すように、受け台６４の溝部６４ａに嵌合された方向選択操作部材５２の係合腕部５２ｉの先端には、本発明の係合部の一例に相当する係合爪５２ｊが設けられている。係合爪５２ｊは、方向選択操作部材５２の突起５２ａ−１，５２ｃ−１，５２ｅ−１，５２ｇ−１がそれぞれメタルドームスイッチ６２ａ，６２ｃ，６２ｅ，６２ｇに当接した状態で溝部６４ａの係合壁６４ｄに軸方向に係合することで抜け止めがなされる。
【００４８】
また、受け台６４の溝部６４ａは、係合壁６４ｄに係合した係合爪５２ｊの下方に空間を有しており、これにより、方向選択操作部材５２の傾倒操作を可能にし、該傾倒操作時には、係合腕部５２ｉが溝部６４ｄの内壁面を摺動しながら傾倒方向に案内される。
【００４９】
また、図７及び図８（ｂ）に示すように、フレキシブル基板６２及び支持板６３に貫通して設けられた穴部６３ａに嵌合された支持台６１の係合腕部６１ａの先端には、係合爪６２ｋが設けられている。支持台６１には、押圧操作ボタン５３の嵌合軸５３ａがメタルドームスイッチ６２ｉに当接した状態で軸方向に摺動可能に嵌合されており、係合爪６２ｋは、支持板６３の裏面に対して軸方向に係合して抜け止めがなされている。
【００５０】
以上説明したように、本実施形態では、円周方向の複数の箇所で多方向に傾倒可能な方向選択操作部材５２の傾倒操作によりファインダ１１に表示された複数の焦点検出領域から任意の焦点検出領域を選択する。また、方向選択操作部材５２の係合爪５２ｊが受け台６４の溝部６４ａの係合壁６４ｄに軸方向に係合することで方向選択操作部材５２の抜け止めがなされている。
【００５１】
これにより、従来必要であった方向選択操作部材５２を覆うカバーが不要になると共に、選択対象である複数の焦点検出領域が増加しても、方向選択操作部材５２を大径化することなく、良好な操作性を確保することができる。このため、方向選択操作部材５２の良好な操作性を確保しつつ、方向選択操作部材５２、回転操作ダイヤル５４及び押圧操作ボタン５３を含む操作部５１の小径化を図ることができる。また、方向選択操作部材５２を覆うカバーが不要になるため、組立工数が削減されて、低コスト化を図ることができる。
【００５２】
また、本実施形態では、方向選択操作部材５２の中央部に１つの焦点検出領域２０１ｉを押圧操作により選択するための押圧操作ボタン５３を設けているので、より複雑な情報入力を可能にすることができる。
【００５３】
なお、本発明の構成は、上記実施形態に例示したものに限定されるものではなく、材質、形状、寸法、形態、数、配置箇所等は、本発明の要旨を逸脱しない範囲において適宜変更可能である。
【００５４】
例えば、上記実施形態では、電子機器としてデジタル一眼レフカメラを例示したが、デジタルコンパクトカメラやデジタルビデオカメラ等の撮像装置や撮像装置以外の電子機器にも適用可能である。
【符号の説明】
【００５５】
１  カメラ本体
２  レリーズボタン
５１  操作部
５２  方向選択操作部材
５２ｉ  係合腕部
５２ｊ  係合爪
５３  押圧操作ボタン
５４  回転操作ダイヤル
６４  受け台
【図１】
2012043707.tif 000003
【図２】
2012043707.tif 000004
【図３】
2012043707.tif 000005
【図４】
2012043707.tif 000006
【図５】
2012043707.tif 000007
【図６】
2012043707.tif 000008
【図７】
2012043707.tif 000009
【図８】
2012043707.tif 000010